(57)【要約】      （修正有）【課題】遊技盤の盤面から突出した構造物の近くに配置された遊技釘の調整を行う際に、誤って槌で構造物を叩いてしまうことがなく、構造物の破損を防止することができる弾球遊技機を提供する。【解決手段】盤面３０ａに複数の遊技釘３９が配置されてなる遊技領域３１ｂを有する遊技盤３０を備え、遊技盤には、複数の遊技釘のうち特定の遊技釘の近傍に盤面から突出する構造物が配置された弾球遊技機おいて、特定の遊技釘は釘取付部材１０１に取り付けられており、釘取付部材は、弾球遊技時に特定の遊技釘を盤面に対して固定する第１の位置と、特定の遊技釘の調整作業時に，遊技釘を遊技釘の釘頭３９ａが第１の位置よりも構造物から離れた状態で盤面に対して固定する第２の位置のそれぞれで、盤面に取付固定可能となっている。【選択図】図６
2010273998.tif 000002
【特許請求の範囲】
【請求項１】
盤面に複数の遊技釘が配置されてなる遊技領域を有する遊技盤を備え、該遊技盤には、前記複数の遊技釘のうち特定の遊技釘の近傍に前記盤面から突出する構造物が配置された弾球遊技機において、
前記特定の遊技釘は釘取付部材に取り付けられており、該釘取付部材は、弾球遊技時に前記特定の遊技釘を前記盤面に対して固定する第１の位置と、前記特定の遊技釘の調整作業時に、該遊技釘を該遊技釘の釘頭が前記第１の位置よりも前記構造物から離れた状態で前記盤面に対して固定する第２の位置のそれぞれで、前記盤面に取付固定可能となっていることを特徴とする弾球遊技機。
【発明の詳細な説明】
【技術分野】
【０００１】
本発明は、遊技領域に遊技釘が配置された弾球遊技機に関するものである。
【背景技術】
【０００２】
従来、パチンコ遊技機等の弾球遊技機には、その遊技盤にガイドレールで区画形成された遊技領域を備えており、当該遊技領域には、発射通路から放出された遊技球が転動しながら流下する転動領域を備えている。この転動領域には、遊技球を転動させるための複数の遊技釘が配置されている（例えば、特許文献１参照）。また、転動領域に配置された遊技釘については、メンテナンス時に、槌等を用いてその角度を調整することで、転動領域における遊技球の転動具合を変化させることができ、これにより、遊技球の入賞口への入賞率を調整することができるようになっている。
【先行技術文献】
【特許文献】
【０００３】
【特許文献１】特開平９−１０８４１０号公報
【発明の概要】
【発明が解決しようとする課題】
【０００４】
しかしながら、前記した特許文献１に記載したような弾球遊技機では、入賞口の直上部等の遊技盤の盤面から突出した構造物の近くに配置された遊技釘の調整を行う際に、遊技釘と構造物との間の距離が近いために、槌で遊技釘を叩こうとして誤って入賞口等の構造物を叩いてしまうことがあり、構造物を破損させてしまう虞があった。
【０００５】
本発明は、このような事情に鑑みてなされたものであり、遊技盤の盤面から突出した構造物の近くに配置された遊技釘の調整を行う際に、誤って槌で構造物を叩いてしまうことがなく、構造物の破損を防止することができる弾球遊技機を提供することを目的とする。
【課題を解決するための手段】
【０００６】
かかる課題を解決するために、本発明の請求項１に記載の発明は、盤面に複数の遊技釘が配置されてなる遊技領域を有する遊技盤を備え、該遊技盤には、前記複数の遊技釘のうち特定の遊技釘の近傍に前記盤面から突出する構造物が配置された弾球遊技機において、前記特定の遊技釘は釘取付部材に取り付けられており、該釘取付部材は、弾球遊技時に前記特定の遊技釘を前記盤面に対して固定する第１の位置と、前記特定の遊技釘の調整作業時に，該遊技釘を該遊技釘の釘頭が前記第１の位置よりも前記構造物から離れた状態で前記盤面に対して固定する第２の位置のそれぞれで、前記盤面に取付固定可能となっている弾球遊技機としたことを特徴とする。
【０００７】
請求項１に係る発明によれば、釘取付部材に取り付けられた遊技釘を、弾球遊技時に盤面に対して固定する第１の位置と、遊技釘の調整作業時に、遊技釘を遊技釘の釘頭が第１の位置よりも構造物から離れた状態で盤面に対して固定する第２の位置のそれぞれで、盤面に取付固定可能となっていることで、遊技釘の調整作業時には、遊技釘の釘頭を構造物から離間した位置に固定させることができ、これにより、遊技盤の盤面から突出した構造物の近くに配置された遊技釘の調整を行う際に、誤って槌で構造物を叩いてしまうことがなく、構造物の破損を防止することができる。
【０００８】
なお、特許文献１に記載した弾球遊技機は、遊技釘を移動させるようになっているが、この構成は遊技釘を遊技演出において移動させるものであり、メンテナンス時に釘調整がし易いようにするものではなく、移動の方向や移動手段等が本発明とは全く異なるものである。
【図面の簡単な説明】
【０００９】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の釘移動機構の拡大正面図である。
【図５】同パチンコ遊技機の釘移動機構の遊技時における断面図である。
【図６】同パチンコ遊技機の釘移動機構のメンテナンス時における断面図である。
【発明を実施するための形態】
【００１０】
以下、本発明の実施の形態における弾球遊技機について図面を参照しながら説明する。なお、本発明の実施の形態では、弾球遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１１】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１２】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１３】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１４】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１５】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３に設けられた透明板１７ａの後方に配置されている。
【００１６】
遊技板３１は、遊技盤３０の有する各構成部材を固定するための板である。ガイドレール３２は、この遊技板３１における遊技盤３０の前面側の盤面３０ａ上に固定されて、この遊技板３１上に、パチンコ球の発射通路３１ａと、パチンコ球が転動する転動領域３１ｃ（後述）を含む遊技領域３１ｂとを区画形成する。遊技盤３０における遊技領域３１ｂのほぼ中央部であって後述する本発明の構造物としての第１始動入賞口３３ａの上方には、遊技板３１に貫設された開口部３８が形成されている。この開口部３８の周縁には、種々の装飾部材が形成されている。また、開口部３８の下部を覆うように、後述するステージ３６が形成されている。
【００１７】
また、遊技領域３１ｂにおいては、遊技板３１に形成された開口部３８の周囲の少なくとも一部に、パチンコ球が転動しながら流下する転動領域３１ｃが形成されている。本実施の形態では、ガイドレール３２と開口部３８との間の領域で、開口部３８の上方から左方及び右下方までの領域が転動領域３１ｃとなっている。
【００１８】
また、転動領域３１ｃにおける遊技盤３０の盤面３０ａ上には、パチンコ球の流下方向を変化させる複数の遊技釘（障害部材）３９が打ち込まれている。上述の打球槌が弾いたパチンコ球は、発射通路３１ａを通して遊技領域３１ｂ内の転動領域３１ｃに放出される。そして、転動領域３１ｃに放出されたパチンコ球は、遊技釘３９に当たって転動しながら転動領域３１ｃを流下する。
【００１９】
また、遊技板３１に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００２０】
また、遊技領域３１ｂ内における、演出表示装置３７の下方の転動領域３１ｃには、遊技盤３０の盤面３０ａよりも突出するように形成された本発明の構造物としての第１始動入賞口３３ａと、第２始動入賞口３３ｂが配置されている。本実施の形態における第１始動入賞口３３ａと第２始動入賞口３３ｂは、遊技盤３０の盤面３０ａ上において当該遊技盤３０の前方（遊技者側）に突出して形成されている。また、第１始動入賞口３３ａと第２始動入賞口３３ｂは、パチンコ球が入賞することによって、遊技者に有利な大当り遊技状態を発生させるか否かの判定を行う起点となるものであり、上方に開口するポケット状に形成されており、第２始動入賞口３３ｂには開閉可能な一対の可動片３３ｘを備えている。第２始動入賞口３３ｂは、可動片３３ｘが閉塞されているときには開口面積が小さくなってパチンコ球が入賞し難く又は入賞できなくなり、可動片３３ｘが開放されているときには開口面積が大きくなってパチンコ球が入賞し易く又は入賞できるようになる。
【００２１】
また、第２始動入賞口３３ｂの下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２２】
また、演出表示装置３７の表示画面３７ａが臨む開口部３８の周縁における下部を覆うように、パチンコ球を第１始動入賞口３３ａに入賞し易くなるように誘導する誘導路を第１始動入賞口３３ａの真上に設けた、略水平面で構成されたステージ３６が配置されている。このステージ３６には、遊技領域３１ｂにおける転動領域３１ｃの途中に設けられた（本実施の形態では開口部３８の左上方に設けられている）図示しないワープ入口から入り、図示しないワープ通路（本実施の形態では開口部３８の左方に設けられている）を通って、図示しないワープ出口（本実施の形態では開口部３８の左下方に設けられている）に出てきたパチンコ球が誘導されるように構成されている。
【００２３】
また、転動領域３１ｃ内の所定位置には、パチンコ球が入賞可能な一般入賞口３５が上方に開口するポケット状に形成されている（本実施の形態では、転動領域３１ｃの左部、左下部及び右下部に複数の一般入賞口３５が形成されている）。
【００２４】
また、複数の遊技釘３９のうち、少なくとも本発明の構造物の近傍に配置された特定の遊技釘３９は、遊技盤３０の盤面３０ａ上に形成されて遊技釘３９を移動可能にする釘移動機構１００の釘取付部材１０１（図４〜図６参照）に取り付けられている。本実施の形態では、構造物としての第１始動入賞口３３ａの直上部に配置された２つの遊技釘３９（いわゆる命釘）が釘移動機構１００の釘取付部材１０１に取り付けられている。以下、本実施の形態における釘移動機構１００について図４及び図５を参照して詳細に説明する。図４は、本発明の実施の形態におけるパチンコ遊技機の釘移動機構の拡大正面図であり、図５は、同釘移動機構の遊技時における断面図であり、図６は、同釘移動機構のメンテナンス時における断面図である。
【００２５】
本実施の形態の釘移動機構１００では、図４及び図５に示すように、遊技板３１における遊技盤３０の盤面３０ａ上から遊技板３１の裏面側に掛けて、貫通孔１０２が設けられており、この貫通孔１０２に挿通されて遊技盤３０の前後方向Ａに摺動可能に保持されるように、遊技釘３９を取り付ける略円柱形状の釘取付部材１０１が配置されている。また、釘取付部材１０１の前後方向Ａにおける後端部には、略方形状に形成されたストッパ１０３が形成されている。さらに、このストッパ１０３と対応する形状に、貫通孔１０２の途中に段差部１０４が設けられている。
【００２６】
本実施の形態では、第１始動入賞口３３ａの直上部の２つの遊技釘３９が釘移動機構１００により一体に保持されて一体に移動するようになっており、具体的には、それぞれの遊技釘３９を取り付ける釘取付部材１０１がストッパ１０３同士で接続されており、一体にされている。また、貫通孔１０２の段差部１０４も一体に接続されたストッパ１０３に対応した形状に形成されている。
【００２７】
そして、本実施の形態の釘移動機構１００は、遊技者が遊技を行う弾球遊技時には、図５に示すように、遊技釘３９が取り付けられた釘取付部材１０１を、前後方向Ａにおいて当該釘取付部材１０１が摺動可能な範囲の最後方となる遊技位置（特定の遊技釘３９を盤面３０ａに対して固定する第１の位置）に図示しない係止部材等で固定させておくことで、遊技釘３９が第１始動入賞口３３ａの命釘としての役割を果たすようになっている。
【００２８】
また、遊技店におけるメンテナンス時などの特定の遊技釘３９の調整作業時には、図６に示すように、釘移動機構１００は、遊技釘３９が取り付けられた釘取付部材１０１を、前後方向Ａにおいて当該釘取付部材１０１が摺動可能な最前方となるメンテナンス位置（遊技釘３９を遊技釘３９の釘頭３９ａが第１の位置よりも第１始動入賞口３３ａから離れた状態で盤面３０ａに対して固定する第２の位置）までスライド移動させて引き出して固定する。なお、本実施の形態では、釘取付部材１０１のストッパ１０３が貫通孔１０２の段差部１０４に当接する位置までスライド移動させて引き出して固定している。これにより、少なくとも遊技釘３９の釘頭３９ａが、図５の遊技位置と比べて構造物としての第１始動入賞口３３ａから離間した位置となり、槌等で釘調整を行う場合に、第１始動入賞口３３ａを誤って叩いてしまって第１始動入賞口３３ａを破損してしまうことがないようにすることができる。
【００２９】
なお、図６における符号１０５は、釘取付部材１０１を遊技盤３０の前方に引き出した際に、当該釘取付部材１０１をメンテナンス位置に固定する係止部材である。この係止部材１０５は釘取付部材１０１の側面において板ばね等で内側から外側に付勢されており、釘取付部材１０１をメンテナンス位置まで引き出すと、自動的に外側に押し出されて釘取付部材１０１をメンテナンス位置に固定するようになっている。また、この係止部材１０５は、手で外側から内側に押すと釘取付部材１０１内に収納され、これにより釘取付部材１０１のメンテナンス位置での固定状態が解け、釘取付部材１０１をメンテナンス位置から遊技盤３０の後方に摺動可能となる。
【００３０】
以上のように、本実施の形態のパチンコ遊技機１０によれば、釘移動機構１００が、釘取付部材１０１に取り付けられた特定の遊技釘３９を、弾球遊技時に盤面に対して固定する第１の位置としての遊技位置と、遊技釘の調整作業時に、遊技釘３９を遊技釘３９の釘頭３９ａが第１の位置よりも構造物としての第１始動入賞口３３ａから離れた状態で盤面３０ａに対して固定する第２の位置、すなわち、メンテナンス時に固定されて少なくとも釘頭３９ａが遊技位置と比べて構造物としての第１始動入賞口３３ａから離間した位置となるメンテナンス位置と、の間で移動可能、かつ、それぞれで、盤面３０ａに取付固定可能となっていることで、メンテナンス時には、遊技釘３９の釘頭３９ａを第１始動入賞口３３ａから離間した位置に移動させて固定することができ、これにより、遊技盤３０の盤面３０ａから突出した第１始動入賞口３３ａの近くに配置された遊技釘３９の調整を行う際に、誤って槌で第１始動入賞口３３ａを叩いてしまうことがなく、第１始動入賞口３３ａの破損を防止することができる。
【００３１】
なお、以上説明した各実施の形態は、本発明の理解を容易にするために記載されたものであって、本発明を限定するために記載されたものではない。
【００３２】
例えば、前記した実施の形態では、弾球遊技機としてパチンコ遊技機を挙げて説明したが、本発明はこれに限るものではなく、アレンジボール等の他の弾球遊技機にも適用可能である。
【００３３】
また、前記した実施の形態では、遊技釘３９を遊技盤３０の前後方向Ａにスライド移動させるように構成されていたが、これに限るものではなく、本発明では、遊技盤の前後方向Ａ以外の方向、例えば、始動入賞口の直上部の遊技釘を、さらにその上に配置されたステージ３６の一部と共に遊技盤３０の上下方向Ｂにスライド移動させるようになっていても良いし、さらに、左右方向Ｃや斜め方向に遊技釘３９をスライド移動させるようになっていても良い。また、スライド移動以外の移動方法で遊技釘を移動させるようになっていても良い。
【００３４】
また、前記した実施の形態では、釘移動機構１００で移動させる釘３９は、遊技盤３０の盤面３０ａより突出した構造物としての第１始動入賞口３３ａの直上部にある２つの釘３９であったが、本発明はこれに限るものではない。すなわち、本発明における構造物としては、遊技盤の盤面より突出したものであれば、遊技領域に配置された他の入賞口や装飾部材等、適宜の構造物で良く、釘移動機構で移動させる釘は、それらの構造物の近傍に配置された適宜のもので良い。
【００３５】
また、前記した実施の形態では、釘移動機構により、２つの釘３９が一体となって移動するようになっていたが、本発明はこれに限るものではなく、釘移動機構によって１つの釘のみが移動するようになっていても良いし、また、釘移動機構によって３つ以上の釘が同時に移動するようになっていても良い。さらに、遊技盤の盤面上の全ての釘が遊技盤の後方に配置された別板に取り付けられていて、全ての釘が同時に移動するようになっていても良い。
【符号の説明】
【００３６】
１０…パチンコ遊技機（弾球遊技機）、３０…遊技盤、３０ａ…盤面、３１ｂ…遊技領域、３３ａ…第１始動入賞口（構造物）、３９…遊技釘、３９ａ…釘頭、１０１…釘取付部材
【図１】
2010273998.tif 000003
【図２】
2010273998.tif 000004
【図３】
2010273998.tif 000005
【図４】
2010273998.tif 000006
【図５】
2010273998.tif 000007
【図６】
2010273998.tif 000008